(57)【要約】【課題】身体に対して常に所定の隙間を有して適切に装着することができ、装着時に身体に対して窮屈感を与えない車輌用着衣を提供する。【解決手段】車輌用着衣１は、身体の後面において調節ベルト７１、７２によって右ベルト構造体８と左ベルト構造体９の間の間隔を狭めた後、身体の前面において右ベルト構造体８と左ベルト構造体９の連結保護ベルト２０，２１（４５，５３）の留め具２３、２６（４９，５３）を、取付位置を調節して互いに留め合い、右ベルト構造体８と左ベルト構造体９を身体に密着させ、調節ベルト７１，７２の調節を解除することによって右ベルト構造体８と左ベルト構造体９の間の間隔を緩め、身体に車輌用着衣１を装着する際に車輌用着衣１の身体に対する密着度を調整する。【選択図】　　　　図６
2004082806.tif 000002
【特許請求の範囲】
【請求項１】
着衣本体と、着衣本体に設けられたベルト構造体とからなり、　ベルト構造体は、身体の右側に装着される右ベルト構造体と、身体の左側に装着される左ベルト構造体とからなり、右ベルト構造体と左ベルト構造体には、身体の前面で一対の留め具によって連結される連結保護ベルトがそれぞれ設けられ、さらに右ベルト構造体又は左ベルト構造体には、身体の後面で右ベルト構造体と左ベルト構造体の間の間隔を調節する調節ベルトが設けられていることを特徴とする車輌用着衣。
【請求項２】
着衣本体と、着衣本体に設けられたベルト構造体とからなり、
ベルト構造体は、身体の右肩に位置する右肩保護ベルトと、身体の左肩に位置する左肩保護ベルトと、身体の背面両側に位置する右背面保護ベルト及び左背面保護ベルトと、身体の右脇腹に位置する右脇保護ベルトと、身体の左脇腹に位置する左脇保護ベルトと、身体の右腰部に位置する右腰部保護ベルトと、身体の左腰部に位置する左腰部保護ベルトと、身体の股に通す右股保護ベルトと左股保護ベルトとを有し、
右腰部保護ベルトは、身体の腰部付近となる位置に折曲部が形成され、折曲部より上部が上方に伸びて右背面保護ベルトに結合され、折曲部より下部が身体の腰部の右側に伸びて端部にループ部が形成され、
左腰部保護ベルトは、身体の腰部付近となる位置に折曲部が形成され、折曲部より上部が上方に伸びて左背面保護ベルトに結合され、折曲部より下部が身体の腰部の左側に伸びて端部にループ部が形成され、
右腰部保護ベルトの折曲部と左腰部保護ベルトの折曲部の間に、この折曲部同士を引っ張り合う腰部弾性ベルトが設けられ、
右脇保護ベルトは、身体の右脇腹付近となる位置にループ部が折り返されて形成され、一端が右腰部保護ベルト又は右背面保護ベルトの上部に結合され、他端が右腰部保護ベルトの下部に結合され、
左脇保護ベルトは、身体の左脇腹付近となる位置にループ部が折り返されて形成され、一端が左腰部保護ベルト又は左背面保護ベルトの上部に結合され、他端が左腰部保護ベルトの下部に結合され、
右肩保護ベルトは、一端が右脇保護ベルト又は右背面保護ベルトの上部に結合され、他端が右脇保護ベルトのループ部に挿通され、この他端には取付位置が調整可能な第１の留め具が設けられ、
左肩保護ベルトは、一端が左脇保護ベルト又は左背面保護ベルトの上部に結合され、他端が左脇保護ベルトのループ部に挿通され、この他端には取付位置が調整可能な第２の留め具が設けられ、
右肩保護ベルトと左肩保護ベルトは、第１の留め具と第２の留め具を互いに留め合うことによって、身体の胸前付近で連結され、
右股保護ベルトは、一端が右背面保護ベルトの下部に結合され、他端が右腰保護ベルトのループ部に挿通され、この他端には取付位置が調整可能な第３の留め具が設けられ、
左股保護ベルトは、一端が左背面保護ベルトの下部に結合され、他端が左腰保護ベルトのループ部に挿通され、この他端には取付位置が調整可能な第４の留め具が設けられ、
左股保護ベルトと右股保護ベルトは、第３の留め具と第４の留め具を互いに留め合うことによって、身体の腹部付近で連結されることを特徴とする車輌用着衣。
【請求項３】
右背面保護ベルト及び左背面保護ベルトには、背当て部材が縫製によって取り付けられていることを特徴とする請求項２記載の車輌用着衣。
【請求項４】
背当て部材には、腰部弾性ベルトを挿通する一対の切れ目が形成されていることを特徴とする請求項３記載の車輌用着衣。
【請求項５】
背当て部材の両側には、シートベルトの止め金具の引っ掛かりを防止する案内部が設けられていることを特徴とする請求項３又は４記載の車輌用着衣。
【請求項６】
右脇保護ベルト又は左脇保護ベルトには、右肩保護ベルトと左肩保護ベルトの間の間隔を調節する第１の調節ベルトが設けられていることを特徴とする請求項２乃至５のいずれか１項に記載の車輌用着衣。
【請求項７】
右腰部保護ベルト又は左腰部保護ベルトには、右腰部保護ベルトと左腰部保護ベルトの間の間隔を調節する第２の調節ベルトが設けられていることを特徴とする請求項２乃至６のいずれか１項に記載の車輌用着衣。
【請求項８】
着衣本体と、着衣本体に設けられたベルト構造体とからなり、　ベルト構造体は、身体の右側に装着される右ベルト構造体と、身体の左側に装着される左ベルト構造体とからなり、右ベルト構造体と左ベルト構造体には、身体の前面で一対の留め具によって連結される連結保護ベルトがそれぞれ設けられた車輌用着衣であって、
身体の後面において調節ベルトによって右ベルト構造体と左ベルト構造体の間の間隔を狭めた後、
身体の前面において右ベルト構造体と左ベルト構造体の連結保護ベルトの留め具を、取付位置を調節して互いに留め合い、右ベルト構造体と左ベルト構造体を身体に密着させ、
調節ベルトの調節を解除することによって右ベルト構造体と左ベルト構造体の間の間隔を緩め、
身体に車輌用着衣を装着する際に車輌用着衣の身体に対する密着度を調整することを特徴とする車輌用着衣の調整方法。
【請求項９】
着衣本体と、着衣本体に設けられたベルト構造体とからなり、　ベルト構造体は、身体の右肩に位置する右肩保護ベルトと、身体の左肩に位置する左肩保護ベルトと、身体の背面両側に位置する右背面保護ベルト及び左背面保護ベルトと、身体の右脇腹に位置する右脇保護ベルトと、身体の左脇腹に位置する左脇保護ベルトと、身体の右腰部に位置する右腰部保護ベルトと、身体の左腰部に位置する左腰部保護ベルトと、身体の股に通す右股保護ベルトと左股保護ベルトとを有し、右腰部保護ベルトは、身体の腰部の右側に伸びて端部にループ部が形成され、左腰部保護ベルトは、身体の腰部の左側に伸びて端部にループ部が形成され、右脇保護護ベルトは、身体の右脇腹付近となる位置にループ部が折り返されて形成され、一端が右背面保護ベルトの上部に結合され、他端が右腰部保護ベルトに結合され、左脇保護ベルトは、身体の左脇腹付近となる位置にループ部が折り返されて形成され、一端が左背面保護ベルトの上部に結合され、他端が左腰部保護ベルトに結合され、右肩保護ベルトは、一端が右背面保護ベルトの上部に結合され、他端が右脇保護ベルトのループ部に挿通され、この他端には取付位置が調整可能な第１の留め具が設けられ、左肩保護ベルトは、一端が左背面保護ベルトの上部に結合され、他端が左脇保護ベルトのループ部に挿通され、この他端には取付位置が調整可能な第２の留め具が設けられ、右肩保護ベルトと左肩保護ベルトは、第１の留め具と第２の留め具を互いに留め合うことによって、身体の胸前付近で連結され、右股保護ベルトは、一端が右背面保護ベルト又は右腰部保護ベルトに結合され、他端が右腰保護ベルトのループ部に挿通され、この他端には取付位置が調整可能な第３の留め具が設けられ、左股保護ベルトは、一端が左背面保護ベルト又は左腰部保護ベルトに結合され、他端が左腰保護ベルトのループ部に挿通され、この他端には取付位置が調整可能な第４の留め具が設けられ、左股保護ベルトと右股保護ベルトは、第３の留め具と第４の留め具を互いに留め合うことによって、身体の腹部付近で連結される車輌用着衣であって、第１の調節ベルトによって身体の右肩に位置する右肩保護ベルトと身体の左肩に位置する左肩保護ベルトの間の間隔を狭めた後、
右肩保護ベルトの第１の留め具又は左肩保護ベルトの第２の留め具の取付位置を調節して、第１の留め具と第２の留め具を互いに留め合い、右肩保護ベルトと左肩保護ベルトを身体の胸前付近で連結させて身体に密着させ、
第１の調節ベルトの調節を解除することによって右肩保護ベルトと左肩保護ベルトの間の間隔を緩め、
身体に車輌用着衣を装着する際に車輌用着衣の身体に対する密着度を調整することを特徴とする車輌用着衣の調整方法。
【請求項１０】
着衣本体と、着衣本体に設けられたベルト構造体とからなり、ベルト構造体は、身体の右肩に位置する右肩保護ベルトと、身体の左肩に位置する左肩保護ベルトと、身体の背面両側に位置する右背面保護ベルト及び左背面保護ベルトと、身体の右脇腹に位置する右脇保護ベルトと、身体の左脇腹に位置する左脇保護ベルトと、身体の右腰部に位置する右腰部保護ベルトと、身体の左腰部に位置する左腰部保護ベルトと、身体の股に通す右股保護ベルトと左股保護ベルトとを有し、右腰部保護ベルトは、身体の腰部付近となる位置に折曲部が形成され、折曲部より上部が上方に伸びて右背面保護ベルトに結合され、折曲部より下部が身体の腰部の右側に伸びて端部にループ部が形成され、左腰部保護ベルトは、身体の腰部付近となる位置に折曲部が形成され、折曲部より上部が上方に伸びて左背面保護ベルトに結合され、折曲部より下部が身体の腰部の左側に伸びて端部にループ部が形成され、右腰部保護ベルトの折曲部と左腰部保護ベルトの折曲部の間に、この折曲部同士を引っ張り合う腰部弾性ベルトが設けられ、護ベルトは、身体の右脇腹付近となる位置にループ部が折り返されて形成され、一端が右腰部保護ベルト又は右背面保護ベルトの上部に結合され、他端が右腰部保護ベルトの下部に結合され、左脇保護ベルトは、身体の左脇腹付近となる位置にループ部が折り返されて形成され、一端が左腰部保護ベルト又は左背面保護ベルトの上部に結合され、他端が左腰部保護ベルトの下部に結合され、右肩保護ベルトは、一端が右腰部保護ベルト又は右背面保護ベルトの上部に結合され、他端が右脇保護ベルトのループ部に挿通され、この他端には取付位置が調整可能な第１の留め具が設けられ、左肩保護ベルトは、一端が左腰部保護ベルト又は左背面保護ベルトの上部に結合され、他端が左脇保護ベルトのループ部に挿通され、この他端には取付位置が調整可能な第２の留め具が設けられ、右肩保護ベルトと左肩保護ベルトは、第１の留め具と第２の留め具を互いに留め合うことによって、身体の胸前付近で連結され、右股保護ベルトは、一端が右背面保護ベルトの下部に結合され、他端が右腰保護ベルトのループ部に挿通され、この他端には取付位置が調整可能な第３の留め具が設けられ、左股保護ベルトは、一端が左背面保護ベルトの下部に結合され、他端が左腰保護ベルトのループ部に挿通され、この他端には取付位置が調整可能な第４の留め具が設けられ、左股保護ベルトと右股保護ベルトは、第３の留め具と第４の留め具を互いに留め合うことによって、身体の腹部付近で連結される車輌用着衣であって、
第１の調節ベルトによって身体の右肩に位置する右肩保護ベルトと身体の左肩に位置する左肩保護ベルトの間の間隔を狭め、第２の調節ベルトによって右腰部保護ベルトと左腰部保護ベルトの間の間隔を狭めた後、
右肩保護ベルトの第１の留め具又は左肩保護ベルトの第２の留め具の取付位置を調節して、第１の留め具と第２の留め具を互いに留め合い、右肩保護ベルトと左肩保護ベルトを身体の胸前付近で連結させて身体に密着させ、
右股保護ベルトの第３の留め具又は左股保護ベルトの第４の留め具の取付位置を調節して、第３の留め具と第４の留め具を互いに留め合い、右股保護ベルトと左股保護ベルトを身体の腹部付近で連結させて身体に密着させ、
第１の調節ベルトの調節を解除することによって右肩保護ベルトと左肩保護ベルトの間の間隔を緩め、第２の調節ベルトの調節を解除することによって右腰部保護ベルトと左腰部保護ベルトの間の間隔を緩め、
身体に車輌用着衣を装着する際に車輌用着衣の身体に対する密着度を調整することを特徴とする車輌用着衣の調整方法。
【発明の詳細な説明】
【０００１】
【発明の属する技術分野】
本願発明は、身体に装着し、車輌に備えられているシートベルトに保持され、自動車の衝突等の衝撃から身体を保護する車輌用着衣に関するものである。
【０００２】
【従来の技術】
従来、本願発明者の考案した、身体に装着して、車輌に備えられているシートベルトに保持されることにより、衝突等の車輌事故の衝撃から身体を保護する図１６に示すような車輌用着衣がある。同図において１０１は従来の車輌用着衣を表している。図１６（ａ）は車輌用着衣１０１の正面図、図１６（ｂ）は内部に設けられているベルト構造体を説明するための正面図、図１６（ｃ）は内部のベルト構造体を説明するための背面図、図１６（ｄ）は車輌のシートベルトをベルト構造体の所定部位に挿通させた状態を説明するための背面図である。
車輌用着衣１０１は、図１６（ａ）に示すように、一部に身体保護用のベルトが表出した前合わせの左右の前身頃と、後身頃からなる着衣としてのベスト型に形成されている。また、車輌用着衣１０１は表生地と裏生地の重ね合わせによる２重の構成になっており、当該表生地と裏生地の間に図１６（ｂ）、（ｃ）に示したようなベルト構造体が設けられており、所定の部位で各生地に取り付けられている。また、ベルト構造体の要素となる各ベルトは、それぞれ可撓性を有する繊維によって形成された幅広の織物が採用されている。
【０００３】
前記ベルト構造体は、以下の構成を有している。
ベルト構造体は、後身頃となる背面の下側にＶ型に配置された第１の基礎ベルト１０３と、当該第１の基礎ベルト１０３の両上端部と結合し背面から前面胸部にかけて設けられた一対の第２の基礎ベルト１０５を有している。
また、背面には、上部に位置する第１の横ベルト１０７と、下部に位置する第２の横ベルト１０９が平行に設けられている。
第１の横ベルト１０７の両端部は、前面部（前身頃）において折り返してループ部１１３を形成するように縫合された後、さらに背面下方側に向かって折り返され、その各端部が第２の横ベルト１０９に対して縫合（結合部１１７）されている。また、第２の横ベルト１０９の両端には、両脇下部付近においてループ部１１５が形成されている。
【０００４】
さらに、２本の肩ベルト１２１および股ベルト１２３が設けられている。肩ベルト１２１は、背面、両肩、前面胸部に亘る縦向きに配置された一対のベルトである。各肩ベルト１２１は、その一端が第２の横ベルト１０９に縫合され（結合部１２５）、前記第１の基礎ベルト１０３、第１の横ベルト１０７、第２の基礎ベルト１０５の順にそれぞれ縫合（結合部１２７、１１１、１２９）されながら、前面部において前記第１の横ベルトの両端に形成した前記ループ部１１３に対して挿通させた後に、各両端部をバックル１３１で着脱自在結合するようになっている。
股ベルト１２３は、１本のベルトによって形成されており、略中央部を前記Ｖ字形状を成す第１の基礎ベルト１０３の折返部に挿通して折り返すことにより二股状に構成し、各両端部を前記左右のループ部１１５にそれぞれ挿通させた後、バックル１３５で着脱自在に結合するようになっている。
当該従来の車輌用着衣１０１は上記構成を有しており、身体に装着して車輌のシートに着席し、車輌のシートベルト１３７を図１５（ｄ）のように第１の基礎ベルト１０３および肩ベルト１２１と身体の間に通して固定し、シートに対して身体を固定するものである。すなわち、車輌のシートベルト１３７によって車輌用着衣１０１が保持され、車輌用着衣１０１を装着した身体の移動を制限するものである。
【０００５】
【発明が解決しようとする課題】
上記従来の車輌用着衣１０１は、身体に装着した後に車輌のシートベルト１３７に対して固定され、間接的にシートベルト１３７に対して身体を拘束させるものであるから、車輌用着衣１０１は身体に対して適切に装着される必要がある。このような観点から、車輌用着衣１０１には、身体に対して適切に装着させるためにバックル１３１およびバックル１３５の取り付け位置を変えて調整し第１の横ベルト１０７および第２の横ベルト１０９の長さが調節できるようになっている。しかし、極度に各ベルトの長さを縮めると身体を圧迫してしまうため、身体との間に適度な隙間を残した状態で各ベルトの長さを調節するように指導が行われている。
上記各ベルトの長さの調節は、たとえば身体との間に指２本が入る程度、ベルト長を身体に密着させた状態から数センチメートル長くする等の基準に基づいて行われる。しかし、各ベルトには伸縮性が無いことから、密着しすぎると窮屈に感じてしまい、各ベルトの長さを基準よりも長く調節してしまう場合がある。このように、使用者によってベルトの長さが指導している適切値よりも長く調整されると、衝突時等に移動する身体の移動量が想定される距離よりも長くなってしまうことがあった。また、この指２本が入る程度の調節は、極めて曖昧で個人差があり、均一に行うことができず、場合によっては身体に対して車両用着衣を適切に装着できないことがあった。
【０００６】
本願発明は、上記の点に鑑み発明されたものであって、身体に対して常に所定の隙間を有して適切に装着することができ、装着時に身体に対して窮屈感を与えない車輌用着衣を提供することをその第１の課題とする。また、身体に対して常に所定の隙間を有して適切に装着することができ、装着時に身体に対して窮屈感を与えない車輌用着衣の調整方法を提供することをその第２の課題とする。
【０００７】
【課題を解決するための手段】
請求項１記載の発明に係る車両用着衣は、上記第１の課題を解決するため、着衣本体と、着衣本体に設けられたベルト構造体とからなり、ベルト構造体は、身体の右側に装着される右ベルト構造体と、身体の左側に装着される左ベルト構造体とからなり、右ベルト構造体と左ベルト構造体には、身体の前面で一対の留め具によって連結される連結保護ベルトがそれぞれ設けられ、さらに右ベルト構造体又は左ベルト構造体には、身体の後面で右ベルト構造体と左ベルト構造体の間の間隔を調節する調節ベルトが設けられている。
【０００８】
請求項２記載の発明に係る車両用着衣は、上記第１の課題を解決するため、着衣本体と、着衣本体に設けられたベルト構造体とからなり、ベルト構造体は、身体の右肩に位置する右肩保護ベルトと、身体の左肩に位置する左肩保護ベルトと、身体の背面両側に位置する右背面保護ベルト及び左背面保護ベルトと、身体の右脇腹に位置する右脇保護ベルトと、身体の左脇腹に位置する左脇保護ベルトと、身体の右腰部に位置する右腰部保護ベルトと、身体の左腰部に位置する左腰部保護ベルトと、身体の股に通す右股保護ベルトと左股保護ベルトとを有し、右腰部保護ベルトは、身体の腰部付近となる位置に折曲部が形成され、折曲部より上部が上方に伸びて右背面保護ベルトに結合され、折曲部より下部が身体の腰部の右側に伸びて端部にループ部が形成され、左腰部保護ベルトは、身体の腰部付近となる位置に折曲部が形成され、折曲部より上部が上方に伸びて左背面保護ベルトに結合され、折曲部より下部が身体の腰部の左側に伸びて端部にループ部が形成され、右腰部保護ベルトの折曲部と左腰部保護ベルトの折曲部の間に、この折曲部同士を引っ張り合う腰部弾性ベルトが設けられ、右脇保護ベルトは、身体の右脇腹付近となる位置にループ部が折り返されて形成され、一端が右腰部保護ベルト又は右背面保護ベルトの上部に結合され、他端が右腰部保護ベルトの下部に結合され、左脇保護ベルトは、身体の左脇腹付近となる位置にループ部が折り返されて形成され、一端が左腰部保護ベルト又は左背面保護ベルトの上部に結合され、他端が左腰部保護ベルトの下部に結合され、右肩保護ベルトは、一端が右脇保護ベルト又は右背面保護ベルトの上部に結合され、他端が右脇保護ベルトのループ部に挿通され、この他端には取付位置が調整可能な第１の留め具が設けられ、左肩保護ベルトは、一端が左脇保護ベルト又は左背面保護ベルトの上部に結合され、他端が左脇保護ベルトのループ部に挿通され、この他端には取付位置が調整可能な第２の留め具が設けられ、右肩保護ベルトと左肩保護ベルトは、第１の留め具と第２の留め具を互いに留め合うことによって、身体の胸前付近で連結され、右股保護ベルトは、一端が右背面保護ベルトの下部に結合され、他端が右腰保護ベルトのループ部に挿通され、この他端には取付位置が調整可能な第３の留め具が設けられ、左股保護ベルトは、一端が左背面保護ベルトの下部に結合され、他端が左腰保護ベルトのループ部に挿通され、この他端には取付位置が調整可能な第４の留め具が設けられ、左股保護ベルトと右股保護ベルトは、第３の留め具と第４の留め具を互いに留め合うことによって、身体の腹部付近で連結される。
【０００９】
請求項３記載の発明に係る車両用着衣は、上記第１の課題を解決するため、上記右背面保護ベルト及び左背面保護ベルトには、背当て部材が縫製によって取り付けられている。請求項４記載の発明に係る車両用着衣は、上記第１の課題を解決するため、上記背当て部材には、腰部弾性ベルトを挿通する一対の切れ目が形成されている。請求項５記載の発明に係る車両用着衣は、上記第１の課題を解決するため、上記背当て部材の両側には、シートベルトの止め金具の引っ掛かりを防止する案内部が設けられている。
【００１０】
請求項６記載の発明に係る車両用着衣は、上記第１の課題を解決するため、上記右脇保護ベルト又は左脇保護ベルトには、右肩保護ベルトと左肩保護ベルトの間の間隔を調節する第１の調節ベルトが設けられている。請求項７記載の発明に係る車両用着衣は、上記第１の課題を解決するため、上記右腰部保護ベルト又は左腰部保護ベルトには、右腰部保護ベルトと左腰部保護ベルトの間の間隔を調節する第２の調節ベルトが設けられている。
【００１１】
請求項８記載の発明に係る車両用着衣の調整方法は、上記第２の課題を解決するため、着衣本体と、着衣本体に設けられたベルト構造体とからなり、ベルト構造体は、身体の右側に装着される右ベルト構造体と、身体の左側に装着される左ベルト構造体とからなり、右ベルト構造体と左ベルト構造体には、身体の前面で一対の留め具によって連結される連結保護ベルトがそれぞれ設けられた車輌用着衣であって、身体の後面において調節ベルトによって右ベルト構造体と左ベルト構造体の間の間隔を狭めた後、身体の前面において右ベルト構造体と左ベルト構造体の連結保護ベルトの留め具を、取付位置を調節して互いに留め合い、右ベルト構造体と左ベルト構造体を身体に密着させ、調節ベルトの調節を解除することによって右ベルト構造体と左ベルト構造体の間の間隔を緩め、身体に車輌用着衣を装着する際に車輌用着衣の身体に対する密着度を調整する。
【００１２】
請求項９記載の発明に係る車両用着衣の調整方法は、上記第２の課題を解決するため、着衣本体と、着衣本体に設けられたベルト構造体とからなり、ベルト構造体は、身体の右肩に位置する右肩保護ベルトと、身体の左肩に位置する左肩保護ベルトと、身体の背面両側に位置する右背面保護ベルト及び左背面保護ベルトと、身体の右脇腹に位置する右脇保護ベルトと、身体の左脇腹に位置する左脇保護ベルトと、身体の右腰部に位置する右腰部保護ベルトと、身体の左腰部に位置する左腰部保護ベルトと、身体の股に通す右股保護ベルトと左股保護ベルトとを有し、右腰部保護ベルトは、身体の腰部の右側に伸びて端部にループ部が形成され、左腰部保護ベルトは、身体の腰部の左側に伸びて端部にループ部が形成され、右脇保護護ベルトは、身体の右脇腹付近となる位置にループ部が折り返されて形成され、一端が右背面保護ベルトの上部に結合され、他端が右腰部保護ベルトに結合され、左脇保護ベルトは、身体の左脇腹付近となる位置にループ部が折り返されて形成され、一端が左背面保護ベルトの上部に結合され、他端が左腰部保護ベルトに結合され、右肩保護ベルトは、一端が右背面保護ベルトの上部に結合され、他端が右脇保護ベルトのループ部に挿通され、この他端には取付位置が調整可能な第１の留め具が設けられ、左肩保護ベルトは、一端が左背面保護ベルトの上部に結合され、他端が左脇保護ベルトのループ部に挿通され、この他端には取付位置が調整可能な第２の留め具が設けられ、右肩保護ベルトと左肩保護ベルトは、第１の留め具と第２の留め具を互いに留め合うことによって、身体の胸前付近で連結され、右股保護ベルトは、一端が右背面保護ベルト又は右腰部保護ベルトに結合され、他端が右腰保護ベルトのループ部に挿通され、この他端には取付位置が調整可能な第３の留め具が設けられ、左股保護ベルトは、一端が左背面保護ベルト又は左腰部保護ベルトに結合され、他端が左腰保護ベルトのループ部に挿通され、この他端には取付位置が調整可能な第４の留め具が設けられ、左股保護ベルトと右股保護ベルトは、第３の留め具と第４の留め具を互いに留め合うことによって、身体の腹部付近で連結される車輌用着衣であって、第１の調節ベルトによって身体の右肩に位置する右肩保護ベルトと身体の左肩に位置する左肩保護ベルトの間の間隔を狭めた後、右肩保護ベルトの第１の留め具又は左肩保護ベルトの第２の留め具の取付位置を調節して、第１の留め具と第２の留め具を互いに留め合い、右肩保護ベルトと左肩保護ベルトを身体の胸前付近で連結させて身体に密着させ、第１の調節ベルトの調節を解除することによって右肩保護ベルトと左肩保護ベルトの間の間隔を緩め、身体に車輌用着衣を装着する際に車輌用着衣の身体に対する密着度を調整する。
【００１３】
請求項１０記載の発明に係る車両用着衣の調整方法は、上記第２の課題を解決するため、着衣本体と、着衣本体に設けられたベルト構造体とからなり、ベルト構造体は、身体の右肩に位置する右肩保護ベルトと、身体の左肩に位置する左肩保護ベルトと、身体の背面両側に位置する右背面保護ベルト及び左背面保護ベルトと、身体の右脇腹に位置する右脇保護ベルトと、身体の左脇腹に位置する左脇保護ベルトと、身体の右腰部に位置する右腰部保護ベルトと、身体の左腰部に位置する左腰部保護ベルトと、身体の股に通す右股保護ベルトと左股保護ベルトとを有し、右腰部保護ベルトは、身体の腰部付近となる位置に折曲部が形成され、折曲部より上部が上方に伸びて右背面保護ベルトに結合され、折曲部より下部が身体の腰部の右側に伸びて端部にループ部が形成され、左腰部保護ベルトは、身体の腰部付近となる位置に折曲部が形成され、折曲部より上部が上方に伸びて左背面保護ベルトに結合され、折曲部より下部が身体の腰部の左側に伸びて端部にループ部が形成され、右腰部保護ベルトの折曲部と左腰部保護ベルトの折曲部の間に、この折曲部同士を引っ張り合う腰部弾性ベルトが設けられ、護ベルトは、身体の右脇腹付近となる位置にループ部が折り返されて形成され、一端が右腰部保護ベルト又は右背面保護ベルトの上部に結合され、他端が右腰部保護ベルトの下部に結合され、左脇保護ベルトは、身体の左脇腹付近となる位置にループ部が折り返されて形成され、一端が左腰部保護ベルト又は左背面保護ベルトの上部に結合され、他端が左腰部保護ベルトの下部に結合され、右肩保護ベルトは、一端が右腰部保護ベルト又は右背面保護ベルトの上部に結合され、他端が右脇保護ベルトのループ部に挿通され、この他端には取付位置が調整可能な第１の留め具が設けられ、左肩保護ベルトは、一端が左腰部保護ベルト又は左背面保護ベルトの上部に結合され、他端が左脇保護ベルトのループ部に挿通され、この他端には取付位置が調整可能な第２の留め具が設けられ、右肩保護ベルトと左肩保護ベルトは、第１の留め具と第２の留め具を互いに留め合うことによって、身体の胸前付近で連結され、右股保護ベルトは、一端が右背面保護ベルトの下部に結合され、他端が右腰保護ベルトのループ部に挿通され、この他端には取付位置が調整可能な第３の留め具が設けられ、左股保護ベルトは、一端が左背面保護ベルトの下部に結合され、他端が左腰保護ベルトのループ部に挿通され、この他端には取付位置が調整可能な第４の留め具が設けられ、左股保護ベルトと右股保護ベルトは、第３の留め具と第４の留め具を互いに留め合うことによって、身体の腹部付近で連結される車輌用着衣であって、第１の調節ベルトによって身体の右肩に位置する右肩保護ベルトと身体の左肩に位置する左肩保護ベルトの間の間隔を狭め、第２の調節ベルトによって右腰部保護ベルトと左腰部保護ベルトの間の間隔を狭めた後、右肩保護ベルトの第１の留め具又は左肩保護ベルトの第２の留め具の取付位置を調節して、第１の留め具と第２の留め具を互いに留め合い、右肩保護ベルトと左肩保護ベルトを身体の胸前付近で連結させて身体に密着させ、右股保護ベルトの第３の留め具又は左股保護ベルトの第４の留め具の取付位置を調節して、第３の留め具と第４の留め具を互いに留め合い、右股保護ベルトと左股保護ベルトを身体の腹部付近で連結させて身体に密着させ、第１の調節ベルトの調節を解除することによって右肩保護ベルトと左肩保護ベルトの間の間隔を緩め、第２の調節ベルトの調節を解除することによって右腰部保護ベルトと左腰部保護ベルトの間の間隔を緩め、身体に車輌用着衣を装着する際に車輌用着衣の身体に対する密着度を調整する。
【００１４】
【発明の実施の形態】
本願発明に係る車輌用着衣の実施の形態を図１乃至図１５に基づいて説明する。図１は、本願発明に係る車輌用着衣の一つの実施の形態を示す全体正面図である。図２は、図１の全体背面図である。図３は、図１の前身頃を省略した正面図である。図４は、図２の後身頃を省略した背面図である。図５は、保護ベルトを説明するための背面図である。図６は、調整ベルトが設けられた車輌用着衣の一つの実施の形態を示す全体背面図である。図７は、図６の使用状態を示す背面図である。図８は、シートベルト挿入時の車輌用着衣の背面図である。図９は、シートベルトを外している時の車輌用着衣の背面図である。図１０は、車輌用着衣の背当て部材の説明図である。図１１は、本願発明に係る車輌用着衣の作用を説明する説明図である。図１２，１３は、調整ベルトの他の使用状態を示す背面図である。図１４は、調整ベルトを使用した他の実施の形態を示す背面図である。図１５は、図１４の使用状態を説明する説明図である。
【００１５】
車輌用着衣１は、着衣本体２と、着衣本体２に設けられたベルト構造体７とからなる。ベルト構造体７は、身体の右側に装着される右ベルト構造体８と、身体の左側に装着される左ベルト構造体９とからなり、右ベルト構造体８と左ベルト構造体９には、身体の前面で一対の留め具２３、２６（４９，５３）によって連結される連結保護ベルト２０，２１（４５，５３）がそれぞれ設けられ、さらに右ベルト構造体８又は左ベルト構造体９には、身体の後面で右ベルト構造体８と左ベルト構造体９の間の間隔を調節する調節ベルト７１，７２が設けられている。
【００１６】
上記車輌用着衣１は、身体の後面において調節ベルト７１、７２によって右ベルト構造体８と左ベルト構造体９の間の間隔を狭めた後、身体の前面において右ベルト構造体８と左ベルト構造体９の連結保護ベルト２０，２１（４５，５３）の留め具２３、２６（４９，５３）を、取付位置を調節して互いに留め合い、右ベルト構造体８と左ベルト構造体９を身体に密着させ、調節ベルト７１，７２の調節を解除することによって右ベルト構造体８と左ベルト構造体９の間の間隔を緩め、身体に車輌用着衣１を装着する際に車輌用着衣１の身体に対する密着度を調整することができる。
【００１７】
車輌用着衣１は、着衣本体２と、着衣本体２に設けられたベルト構造体７とからなる。ベルト構造体７は、身体の右肩に位置する右肩保護ベルト１６と、身体の左肩に位置する左肩保護ベルト１９と、身体の背面両側に位置する右背面保護ベルト１３及び左背面保護ベルト１５と、身体の右脇腹に位置する右脇保護ベルト６０と、身体の左脇腹に位置する左脇保護ベルト６５と、身体の右腰部に位置する右腰部保護ベルトと３２、身体の左腰部に位置する左腰部保護ベルト３３と、身体の股に通す右股保護ベルト４５と左股保護ベルト５０とを有する。
【００１８】
右腰部保護ベルト３２は、身体の腰部付近となる位置に折曲部３２ｃが形成され、折曲部３２ｃより上部３２ａが上方に伸びて右背面保護ベルト１３に結合され、折曲部３２ｃより下部が身体の腰部の右側に伸びて端部にループ部３２ｂが形成されている。左腰部保護ベルト３３は、身体の腰部付近となる位置に折曲部３３ｃが形成され、折曲部３３ｃより上部３３ａが上方に伸びて左背面保護ベルト１５に結合され、折曲部３３ｃより下部が身体の腰部の左側に伸びて端部にループ部３３ｂが形成されている。
【００１９】
右腰部保護ベルト３２の折曲部３２ｃと左腰部保護ベルト３３の折曲部３３ｃの間に、この折曲部３２ｃ、３３ｃ同士を引っ張り合う腰部弾性ベルト３１が設けられている。右脇保護ベルト６０は、身体の右脇腹付近となる位置にループ部６１が折り返されて形成され、一端６２が右腰部保護ベルト３２又は右背面保護ベルト１３の上部に結合され、他端６３が右腰部保護ベルト３２の下部に結合されている。左脇保護ベルト６５は、身体の左脇腹付近となる位置にループ部６６が折り返されて形成され、一端６７が左腰部保護ベルト３３又は左背面保護ベルト１５の上部に結合され、他端６８が左腰部保護ベルト３３の下部に結合されている。
【００２０】
右肩保護ベルト１６は、一端１６ａが右脇保護ベルト６０又は右背面保護ベルト１３の上部に結合され、他端１６ｂが右脇保護ベルト６０のループ部６１に挿通され、この他端１６ｂには取付位置が調整可能な第１の留め具２３が設けられている。左肩保護ベルト１９は、一端１９ａが左脇保護ベルト６５又は左背面保護ベルト１５の上部に結合され、他端１９ｂが左脇保護ベルト６５のループ部６６に挿通され、この他端１９ｂには取付位置が調整可能な第２の留め具２６が設けられている。右肩保護ベルト１６と左肩保護ベルト１９は、第１の留め具２３と第２の留め具２６を互いに留め合うことによって、身体の胸前付近で連結される。
【００２１】
右股保護ベルト４５は、一端４６が右背面保護ベルト１３の下部に結合され、他端４７が右腰保護ベルト３２のループ部３２ｂに挿通され、この他端４７には取付位置が調整可能な第３の留め具４９が設けられている。左股保護ベルト５０は、一端５１が左背面保護ベルト１５の下部に結合され、他端５２が左腰保護ベルト３３のループ部３３ｂに挿通され、この他端５２には取付位置が調整可能な第４の留め具５３が設けられている。左股保護ベルト５０と右股保護ベルト４５は、第３の留め具４９と第４の留め具５３を互いに留め合うことによって、身体の腹部付近で連結される。
【００２２】
右背面保護ベルト１３及び左背面保護ベルト１５には、背当て部材１０が縫製によって取り付けられている。背当て部材１０には、腰部の弾性ベルト３１を挿通する一対の切れ目１０ａ，１０ｂが形成されている。背当て部材１０の両側には、シートベルトＡの止め金具Ｄの引っ掛かりを防止する案内部１１，１２が設けられている。
【００２３】
右脇保護ベルト６０又は左脇保護ベルト６５には、右肩保護ベルト１６と左肩保護ベルト９の間の間隔を調節する第１の調節ベルト７１が設けられている。右腰部保護ベルト３２又は左腰部保護ベルト３３には、右腰部保護ベルト３２と左腰部保護ベルト３３の間の間隔を調節する第２の調節ベルト７２が設けられている。
【００２４】
上記車輌用着衣１は、第１の調節ベルト７１によって身体の右肩に位置する右肩保護ベルト１６と身体の左肩に位置する左肩保護ベルト１９の間の間隔を狭め、第２の調節ベルト７２によって右腰部保護ベルト３２と左腰部保護ベルト３３の間の間隔を狭めた後、右肩保護ベルト１６の第１の留め具２３又は左肩保護ベルト１９の第２の留め具２６の取付位置を調節して、第１の留め具２３と第２の留め具２６を互いに留め合い、右肩保護ベルト１６と左肩保護ベルト１９を身体の胸前付近で連結させて身体に密着させ、右股保護ベルト４５の第３の留め具４９又は左股保護ベルト５０の第４の留め具５３の取付位置を調節して、第３の留め具４９と第４の留め具５３を互いに留め合い、右股保護ベルト４５と左股保護ベルト５０を身体の腹部付近で連結させて身体に密着させ、第１の調節ベルト７１の調節を解除することによって右肩保護ベルト１６と左肩保護ベルト１９の間の間隔を緩め、第２の調節ベルト７２の調節を解除することによって右腰部保護ベルト３２と左腰部保護ベルト３３の間の間隔を緩め、身体に車輌用着衣１を装着する際に車輌用着衣１の身体に対する密着度を調整することができる。
【００２５】
さらに車輌用着衣１について詳細に説明する。車輌用着衣１は、図１乃至５に示すように、ベスト型着衣本体２と、着衣本体２から一部が表出する身体保護用の保護ベルトとからなる。保護ベルトは、後述するが、右背面保護ベルト１３、左背面保護ベルト１５、右肩保護ベルト１６、左肩保護ベルト１９、右胸部調節保護ベルト（連結保護ベルト）２０、左胸部調節保護ベルト（連結保護ベルト）２１、右腰部保護ベルト３２、左腰部保護ベルト３３、右股保護ベルト（連結保護ベルト）４５、左股保護ベルト（連結保護ベルト）５０、右脇保護ベルト６０、左脇保護ベルト６５である。着衣本体２は、ベスト状に形成され、前身頃３と、後身頃５とが両端で縫製されて形成されている。また、前身頃３は、左前身頃３ａと右前身頃３ｂによって構成され、それぞれが前面略中央部においてファスナー６によって係脱自在に係合するようになっている。
【００２６】
着衣本体２は、ナイロン素材によって形成されているが、特に素材が限定されるものではなく、ジーンズ等の生地であっても構わない。着衣本体２の裏面には、強化アクリル合成繊維糸で形成された前記保護ベルトが設けられ、さらにメッシュ構造の裏生地（図示せず）が保護ベルトを内側に隠すように縫製されている。
【００２７】
前記保護ベルトは、可撓性を有する繊維によって幅広に形成され、自動車の衝突事故等の衝撃によって生じる人体の過重を支えるのに十分な強度を有している。図４は、後身頃５を外した状態で、車輌用着衣１を後から視た背面図であり、後身頃５には、保護ベルトは縫製されていない。
【００２８】
後身頃５と後身頃５の裏生地の間には、図４に示すように、背当て部材１０が設けられている。背当て部材１０は、着衣本体２と同じ材質によって形成されている。背当て部材１０の両側には、折り返されて縫製された袋状部１１，１２が形成され、この袋状部１１，１２にボール紙等の可撓性厚板が設けられ、案内部を構成している。なお、袋状部１１，１２は、背当て部材１０と別に着衣本体２と同じ材質によって形成し、内部にボール紙等の可撓性厚板を設け、背当て部材の両側に縫製により結合しても構わない。背当て部材１０の前面両側には、両方で略Ｖ字状を形成する右背面保護ベルト１３と左背面保護ベルト１５が縫製されて結合されている。
【００２９】
右背面保護ベルト１３の上部は、右肩保護ベルト１６の一端１６ａに縫製されて結合されている。左背面保護ベルト１５の上部は、左肩保護ベルト１９の一端１９ａに縫製されて結合されている。右肩保護ベルト１６は、図１、３に示すように、右胸部調節保護ベルト２０を有しており、右胸部調節保護ベルト２０の先端が右肩保護ベルト１６の他端１６ｂを構成する。右胸部調節保護ベルト２０の後部近傍が、図４に示すように、右肩保護ベルト１６の略中間部１７に縫製されて結合されている。
【００３０】
左肩保護ベルト１９は、図１、３に示すように、左胸部調節保護ベルト２１を有しており、左胸部調節保護ベルト２１の先端が左肩保護ベルト１９の他端１９ｂを構成する。左胸部調節保護ベルト２１の後部近傍が、図４に示すように、左肩保護ベルト１９の略中間部１８に縫製されて結合されている。
【００３１】
右胸部調節保護ベルト２０は、先部１６ｂが右前身頃３ｂの略中間に形成された切れ目２２から表出し、右胸部調節保護ベルト２０の長さの調節ができる雄留め具２３が設けられている。左胸部調節保護ベルト２１は、先部１９ｂが左前身頃３ａの略中間に形成された切れ目２５から表出し、左胸部調節保護ベルト２１の長さの調節ができる雌留め具２６が設けられている。雄留め具２３と雌留め具２６は、雄留め具２３を雌留め具２６に差し込むことによって連結することができる。
【００３２】
右胸部調節保護ベルト２０の後部２０ａは、背当て部材１０近傍まで伸び、後部２０ａに弾性ベルト３０の一端が縫製されて結合されている。左胸部調節保護ベルト２１の後部２１ａは、背当て部材１０近傍まで伸び、後部２１ａに弾性ベルト３１の一端が縫製されて結合されている。弾性ベルト３０，３１は、ゴム状に伸縮自在であり、縮む方向に付勢されている。
【００３３】
背当て部材１０の後部両側には、前記右背面保護ベルト１３と左背面保護ベルト１５と同様に略Ｖ字状に形成する右腰保護ベルト３２と左腰保護ベルト３３が設けられている。右腰保護ベルト３２は、上部３２ａが背当て部材１０に縫製されて結合され、略中間部３２ｃが折り曲げられ、下部が折り返されて縫製されてループ部３２ｂが形成され（図１参照）、このループ部３２ｂが右前身頃３ｂの下部左側に形成された切れ目３５から右前身頃３ｂの裏側に配設されている。
【００３４】
左腰保護ベルト３３は、上部３３ａが背当て部材１０に縫製されて結合され、略中間部３３ｃが折り曲げられ、下部が折り返されて縫製されてループ部３３ｂが形成され、このループ部３３ｂが左前身頃３ａの下部左側に形成された切れ目３６から左前身頃３ａの裏側に配設されている。
【００３５】
背当て部材１０の下部には、一対の切れ目１０ａ，１０ｂが形成され、弾性ベルト４０が切れ目１０ａ，１０ｂを縫うようにして取り付けられている。この弾性ベルト４０は、前記弾性ベルト３０，３１と同一素材で形成され、一端４１が右腰保護ベルト３２の折曲部（略中間部）３２ｃに縫製されて結合され、他端４２が左腰保護ベルト３３の折曲部（略中間部）３３ｃに縫製されて結合されており、右腰保護ベルト３２の略中間部（折曲部３２ｃ）と左腰保護ベルト３３の略中間部（折曲部３３ｃ）を素材の弾性により内側に引っ張っている。
【００３６】
前記右背面保護ベルト１３の下部は、背当て部材１０の下端縁から突出し、右股保護ベルト４５の一端４６が縫製されて結合されている。この右股保護ベルト４５は、他端４７が前記右腰保護ベルト３２のループ部３２ｂに挿通され、この他端４７に右股保護ベルト４５の長さの調節ができる雄留め具４９が設けられている。
【００３７】
前記左背面保護ベルト１５の下部は、背当て部材１０の下端縁から突出し、左股保護ベルト５０の一端５１が縫製されて結合されている。この左股保護ベルト５０は、他端５２が前記左腰保護ベルト３３のループ部３３ｂに挿通され、この他端５２に左股保護ベルト５０の長さの調節ができる雌留め具５３が設けられている。雄留め具４９と雌留め具５３は、雄留め具４３を雌留め具５３に差し込むことによって連結することができる。なお、右股保護ベルト４５及び左股保護ベルト５０には、脚を保護するための保護パッド５５，５６が取り付けられている。
【００３８】
右腰保護ベルト３２であって、これの背当て部材１０との縫製部（結合部）３２ａより上部に右脇保護ベルト６０の一端６２が縫製されて結合されている。右脇保護ベルト６０であって、これの右腰保護ベルト３２との縫製部（結合部）６２より内側に前記弾性ベルト３０の他端３０ｂが縫製されて結合されている。右脇保護ベルト６０は、略中間部が折り返されて縫製されてループ部６１が形成され、他端６３が右腰保護ベルト３２の略中間部に縫製されて結合されている。なお、右脇保護ベルト６０は、他端６３の近傍６４が右前身頃３ｂに縫製されている。
【００３９】
左腰保護ベルト３３であって、これの背当て部材１０との縫製部（結合部）３３ａより上部に左脇保護ベルト６５の一端６７が縫製されて結合されている。左脇保護ベルト６５であって、これの左腰保護ベルト３３との縫製部（結合部）６７より内側に前記弾性ベルト３１の他端３１ｂが縫製されて結合されている。左脇保護ベルト６５は、略中間部が折り返されて縫製されてループ部６６が形成され、他端６８が左腰保護ベルト３３の略中間部に縫製されて結合されている。なお、左脇保護ベルト６５は、他端６８の近傍６９が左前身頃３ａに縫製されている。
【００４０】
第１の調整ベルト７１は、図６に示すように、両端７１ａ，７１ｂに雄ホック７３ａ，７３ｂが設けられている。第１の調整ベルト７１は、一端７１ａに設けられた雄ホック７３ａが、左脇保護ベルト６５に設けられた雌ホックに着脱自在に嵌着され、他端７１ｂに設けられた雄ホック７３ｂが、右脇保護ベルト６０に設けられた雌ホックに着脱自在に嵌着されて、着衣本体２に取り付けられるようになっている。第２の調整ベルト７２は、両端７２ａ，７２ｂに雄ホック７５ａ，７５ｂが設けられている。第２の調整ベルト７２は、一端７２ａに設けられた雄ホック７５ａが、左腰部保護ベルト３３に設けられた雌ホックに着脱自在に嵌着され、他端７２ｂに設けられた雄ホック７５ｂが、右腰部保護ベルト３２に設けられた雌ホックに着脱自在に嵌着されて、着衣本体２に取り付けられるようになっている。
【００４１】
車輌用着衣１は、上記構成を有し、右背面保護ベルト１３、左背面保護ベルト１５、右肩保護ベルト１６、左肩保護ベルト１９、右胸部調節保護ベルト（連結保護ベルト）２０、左胸部調節保護ベルト（連結保護ベルト）２１、右腰部保護ベルト３２、左腰部保護ベルト３３、右股保護ベルト（連結保護ベルト）４５、左股保護ベルト（連結保護ベルト）５０、右脇保護ベルト６０、左脇保護ベルト６５によってベルト構造体７が形成される。
【００４２】
右ベルト構造体８は、右背面保護ベルト１３、右肩保護ベルト１６、右胸部調節保護ベルト（連結保護ベルト）２０、右腰部保護ベルト３２、右股保護ベルト（連結保護ベルト）４５、右脇保護ベルト６０によって形成される。左ベルト構造体９は、左背面保護ベルト１５、左肩保護ベルト１９、左胸部調節保護ベルト（連結保護ベルト）２１、左腰部保護ベルト３３、左股保護ベルト（連結保護ベルト）５０、左脇保護ベルト６５によって形成される。
【００４３】
車輌用着衣１は、身体に所定の隙間ができるように装着する。第１の調整ベルト７１の一端７１ａに設けられた雄ホック７３ａを左脇保護ベルト６５に設けられた雌ホックに着脱自在に嵌着し、他端７１ｂに設けられた雄ホック７３ｂを右脇保護ベルト６０に設けられた雌ホックに着脱自在に嵌着して、第１の調整ベルト７１を着衣本体２に取り付ける。このようにすることによって、右肩保護ベルト１６と左肩保護ベルト１９の間隔が狭められる。なお、隙間をもう少し拡げたい場合には、図７に示すように、第１の調整ベルト７１を右肩保護ベルト１６と左肩保護ベルト１９に巻き付けてから、第１の調整ベルト７１の一端７１ａに設けられた雄ホック７３ａを左脇保護ベルト６５に設けられた雌ホックに着脱自在に嵌着し、他端７１ｂに設けられた雄ホック７３ｂを右脇保護ベルト６０に設けられた雌ホックに着脱自在に嵌着すれば良い。これによって、右肩保護ベルト１６と左肩保護ベルト１９の間隔が一層狭められる。
【００４４】
第２の調整ベルト７２の一端７２ａに設けられた雄ホック７５ａを左腰部保護ベルト３３に設けられた雌ホックに着脱自在に嵌着し、他端７２ｂに設けられた雄ホック７５ｂを右腰部保護ベルト３２に設けられた雌ホックに着脱自在に嵌着して、第２の調整ベルト７２を着衣本体２に取り付ける。このようにすることによって、右腰部保護ベルト３２と左腰部保護ベルト３３の間隔が狭められる。なお、隙間をもう少し拡げたい場合には、第２の調整ベルト７２を、右腰部保護ベルト３２と左腰部保護ベルト３３に巻き付けてから、第２の調整ベルト７２の一端７２ａに設けられた雄ホック７５ａを左腰部保護ベルト３３に設けられた雌ホックに着脱自在に嵌着し、他端７２ｂに設けられた雄ホック７５ｂを右腰部保護ベルト３２に設けられた雌ホックに着脱自在に嵌着すれば良い。これによって、右腰部保護ベルト３２と左腰部保護ベルト３３の間隔が一層狭められる。
【００４５】
このように、右肩保護ベルト１６と左肩保護ベルト１９の間隔及び右腰部保護ベルト３２と左腰部保護ベルト３３の間隔を狭めた後、身体に装着する。右胸部調節保護ベルト２０の長さを雄留め具２３の取付位置を変えながら調節し、同様に左胸部調節保護ベルト２１の長さを雌留め具２６の取付位置を変えながら調節して、雄留め具２３を雌留め具２６に差し込み、右肩保護ベルト１６と左肩保護ベルト１９及び右脇保護ベルト６０と左脇保護ベルト６５を身体に密着させる。
【００４６】
右股保護ベルト４５の長さを雄留め具４９の取付位置を変えながら調節し、同様に左股保護ベルト５０の長さを雌留め具５３の取付位置を変えながら調節して、雄留め具４９を雌留め具５３に差し込み、右股保護ベルト４５と左股保護ベルト５０、右背面保護ベルト１３と左背面保護ベルト１５及び右腰部保護ベルト３２と左腰部保護ベルト３３を身体に密着させる。
【００４７】
次に、第１の調整ベルト７１の一端７１ａに設けられた雄ホック７３ａを左脇保護ベルト６５に設けられた雌ホックから外し、他端７１ｂに設けられた雄ホック７３ｂを右脇保護ベルト６０に設けられた雌ホックから外すと、右肩保護ベルト１６と左肩保護ベルト１９の間隔が拡がり、右肩保護ベルト１６と左肩保護ベルト１９及び右脇保護ベルト６０と左脇保護ベルト６５と身体に所定の隙間ができる。同様に、第２の調整ベルト７２の一端７２ａに設けられた雄ホック７５ａを左腰部保護ベルト３３に設けられた雌ホックから外し、他端７２ｂに設けられた雄ホック７５ｂを右腰部保護ベルト３２に設けられた雌ホックから外すと、右腰部保護ベルト３２と左腰部保護ベルト３３の間隔が拡がり、右股保護ベルト４５と左股保護ベルト５０、右背面保護ベルト１３と左背面保護ベルト１５及び右腰部保護ベルト３２と左腰部保護ベルト３３と身体に所定の隙間ができる。
【００４８】
身体に装着した車輌用着衣１は、前記したように、右ベルト構造体８と左ベルト構造体９とからなり、背面において弾性ベルト４０によって連結されているため、若干横方向に拡がることができ、窮屈感を緩和させることができる。身体に装着した後、図８に示すように、シートベルトＡを着衣本体２の背当て部材１０に挿通して、シートベルトＡの連結金具Ｄを座席に設けられたバックルに着脱自在に連結する。前記したように、車輌用着衣１と身体との間に隙間があいているため、ある程度自由に動くことができ、拘束感が少ない（図１１（ａ）参照）。
【００４９】
車輌が走行中に衝突等の事故により、身体が前方に移動すると、図１１（ｂ）に示すように、右腰部保護ベルト３２と左腰部保護ベルト３３の間隔が狭められ、右股保護ベルト４５と左股保護ベルト５０、右背面保護ベルト１３と左背面保護ベルト１５及び右腰部保護ベルト３２と左腰部保護ベルト３３が身体に密着する。同様に右肩保護ベルト１６と左肩保護ベルト１９の間隔が狭められることになり、右肩保護ベルト１６と左肩保護ベルト１９及び右脇保護ベルト６０と左脇保護ベルト６５が身体に密着する。このようにして、ベルト構造体７が身体を保護することになる。
【００５０】
また、シートベルトＡの連結金具Ｄは、座席に設けられたバックルから外した後、図９に示すように、背当て部材１０の案内部１２（１１）によって、スムーズに抜くことができる。もし、仮に案内部１２（１１）がないと、図１０に示すように、左腰部保護ベルト３３（右腰部保護ベルト３２）に引っ掛かり、シートベルトＡが車輌用着衣１から外れない場合がある。また、シートベルトＡの連結金具Ｄが、背当て部材１０の案内部１２（１１）に引っ掛かったとしても、案内部１２（１１）は左腰部保護ベルト３３（右腰部保護ベルト３２）の縁を中心として折り曲がるため、簡単に外れて、シートベルトＡを車輌用着衣１からスムーズに外すことができる。従って、緊急に座席から離れる必要性が生じた場合、案内部１２（１１）によって、迅速にシートベルトＡを車輌用着衣１から外すことができる。
【００５１】
なお上記実施の形態では、着衣本体２に第１の調整ベルト７１と第２の調整ベルト７２を設けたが、図１２（ａ）に示すように、背当て部材１０の前面側に調整ベルト７６を設けても構わない。係る場合、調整ベルト７６の一方に雄ホック７７を設け、他方に雌ホック７８を設け、図１２（ｂ）に示すように、右腰部保護ベルト３２と左腰部保護ベルト３３に巻き付けてから、雄ホック７７を雌ホック７８に嵌着することによって、右腰部保護ベルト３２と左腰部保護ベルト３３の間隔が狭められる。
【００５２】
また、上記調整ベルト７６を、図１３（ａ）に示すように、背当て部材１０の切れ目１０ａ、１０ｂに縫うようにして設けても構わない。係る場合、図１３（ｂ）に示すように、右腰部保護ベルト３２と左腰部保護ベルト３３に巻き付けるようにして背当て部材１０の前面側で、雄ホック７７を雌ホック７８に嵌着することによって、右腰部保護ベルト３２と左腰部保護ベルト３３の間隔が狭められる。なお、雄ホック７７を複数設けることによって、体格に合わせた調節が可能となる。
【００５３】
なお、図１２（ａ），１３（ａ）に示すように、右脇保護ベルト６０の右腰保護ベルト３２との縫製部（結合部）６２より内側に雄ホック８０を設け、左脇保護ベルト６５の左腰保護ベルト３３との縫製部（結合部）６７より内側に雄ホック８１を設ける一方、背当て部材１０の上部両端に雌ホック８２，８３を設け、図１２（ｂ），１３（ｂ）に示すように、右脇保護ベルト６０の雄ホック８０を背当て部材１０の右側の雌ホック８２に嵌着し、左脇保護ベルト６５の雄ホック８１を背当て部材１０の左側の雌ホック８３に嵌着して、右肩保護ベルト１６と左肩保護ベルト１９の間隔を狭めるようにしても良い。このようにすると、上記調整ベルト７６との併用により、調節が一層効果的に行われる。
【００５４】
さらに、図１４に示すように、右股保護ベルト４５及び左股保護ベルト５０を収容する動物形状の収納袋８５を設けても良い。この収納袋８５は、図１５（ｂ）に示すように、後部に係止部材８６を上下両端を縫製することにより取り付け、この係止部材８６に前記調整ベルト７６を通して、収納袋８５を着衣本体２に取り付けることができる（図１５（ａ）参照）。収納袋８５は、動物形状に形成されているが、その形状に限定されないのは勿論である。
【００５５】
【発明の効果】
以上説明してきたように、請求項１記載の車輌用着衣は、身体の後面において、調節ベルトより右ベルト構造体と左ベルト構造体の間の間隔を調節した後、これを身体に着せて、身体の前面で右ベルト構造体と左ベルト構造体の連結保護ベルトを一対の留め具によって連結して身体に密着させ、次に調節ベルトの調節を解除することによって、これと身体に所定の隙間を持たせることができるという効果がある。従来では、保護ベルトと身体との間に指２本が入る程度の隙間を持たせるように着せていたが、この隙間の調節は各人の感覚で行われているため、隙間が一定でなかったが、請求項１記載の車輌用着衣によれば、調節ベルトによって隙間を調節できるので、均一に隙間を設けることができるという効果がある。さらに、調節ベルトにより調節した後、これを密着するように装着させてから、調節ベルトの調節を解除するので、装着する人がどのような体型であっても、必ず一定の隙間を設けることができるという効果がある。
【００５６】
請求項２記載の車両用着衣は、ベルト構造体が身体の右側に位置する右肩保護ベルト、右背面保護ベルト、右脇保護ベルト、右腰部保護ベルト、右股保護ベルトと、身体の左側に位置する左肩保護ベルト、左背面保護ベルト、左脇保護ベルト、左腰部保護ベルト、左股保護ベルトとに分けられ、身体の前面側において右肩保護ベルトの第１の留め具が左肩保護ベルトの第２の留め具に留められ、右股保護ベルトの第３の留め具が左股保護ベルトの第４の留め具に留められることによって、上記保護ベルトが身体に密着して設けられ、身体の後面側において右側の保護ベルトと左側の保護ベルトが連結されていないから、窮屈を感じることなく装着することができるという効果がある。
【００５７】
請求項３記載の車輌用着衣は、上記効果に加え、右背面保護ベルト及び左背面保護ベルトに背当て部材が取り付けられているので、装着時に背中を保護することができるという効果がある。
【００５８】
請求項４記載の車輌用着衣は、上記効果に加え、背当て部材に、腰部弾性ベルトを挿通するので、腰部弾性ベルトを位置決めすることができ、安定して右腰部保護ベルトと左腰部保護ベルトを内側に引っ張ることができるという効果がある。
【００５９】
請求項５記載の車輌用着衣は、上記効果に加え、背当て部材の両側には、シートベルトの止め金具の引っ掛かりを防止する案内部が設けられているので、シートベルトの止め金具が引っ掛かることなくスムーズ且つスピーディに外せ、迅速に座席から離れることができるという効果がある。
【００６０】
請求項６記載の車輌用着衣は、上記効果に加え、右肩保護ベルトと左肩保護ベルトの間の間隔を調節する第１の調節ベルトが設けられているので、第１の調整ベルトによって、右肩保護ベルトと左肩保護ベルトの間隔を狭めた後、身体に密着して装着でき、第１の調節ベルトの調節を解除すると、右肩保護ベルトと左肩保護ベルトの間隔が拡がり、右肩保護ベルト及び左肩保護ベルトと身体に所定の隙間ができ、窮屈感なく装着することができるという効果がある。
【００６１】
請求項７記載の車輌用着衣は、上記効果に加え、右腰部保護ベルトと左腰部保護ベルトの間の間隔を調節する第２の調節ベルトが設けられているので、第２の調整ベルトによって、右腰部保護ベルトと左腰部保護ベルトの間隔を狭めた後、身体に密着して装着でき、第２の調整ベルトの調節を解除すると、右腰部保護ベルトと左腰部保護ベルトの間隔が拡がり、右腰部保護ベルト及び左腰部保護ベルトと身体に所定の隙間ができ、窮屈感なく装着することができるという効果がある。
【００６２】
請求項８記載の車輌用着衣の調整方法によれば、身体の後面において調節ベルトによって右ベルト構造体と左ベルト構造体の間の間隔を狭めた後、身体の前面において右ベルト構造体と左ベルト構造体の連結保護ベルトの留め具を、取付位置を調節して互いに留め合い、右ベルト構造体と左ベルト構造体を身体に密着させ、調節ベルトの調節を解除することによって右ベルト構造体と左ベルト構造体の間の間隔を緩め、身体に車輌用着衣を装着する際に車輌用着衣の身体に対する隙間を常に一定に調整して、適切に車輌用着衣を装着することができ、装着時に身体に対して窮屈感を与えないという効果がある。
【００６３】
請求項９，１０記載の車輌用着衣の調整方法によれば、第１の調節ベルトによって右肩保護ベルトと左肩保護ベルトの間の間隔を狭め、第２の調節ベルトによって右腰部保護ベルトと左腰部保護ベルトの間の間隔を狭めた後、第１の留め具と第２の留め具を互いに留め合い、右肩保護ベルトと左肩保護ベルトを身体の胸前付近で連結させて身体に密着させ、さらに、第３の留め具と第４の留め具を互いに留め合い、右股保護ベルトと左股保護ベルトを身体の腹部付近で連結させて身体に密着させ、次に第１の調節ベルト及び第２の調節ベルトの調節を解除することによって右肩保護ベルトと左肩保護ベルトの間の間隔、右腰部保護ベルトと左腰部保護ベルトの間の間隔を緩め、身体に車輌用着衣を装着する際に車輌用着衣の身体に対する隙間を常に一定に調整して、適切に車輌用着衣を装着することができ、装着時に身体に対して窮屈感を与えないという効果がある。
【図面の簡単な説明】
【図１】本願発明に係る車輌用着衣の一つの実施の形態を示す全体正面図である。
【図２】図１の全体背面図である。
【図３】図１の前身頃を省略した正面図である。
【図４】図２の後身頃を省略した背面図である。
【図５】保護ベルトを説明するための背面図である。
【図６】調整ベルトが設けられた車輌用着衣の一つの実施の形態を示す全体背面図である。
【図７】図６の使用状態を示す背面図である。
【図８】シートベルト挿入時の車輌用着衣の背面図である。
【図９】シートベルトを外している時の車輌用着衣の背面図である。
【図１０】車輌用着衣の背当て部材の説明図である。
【図１１】本願発明に係る車輌用着衣の作用を説明する説明図である。
【図１２】調整ベルトの他の使用状態を示す背面図である。
【図１３】調整ベルトの他の使用状態を示す背面図である。
【図１４】調整ベルトを使用した他の実施の形態を示す背面図である。
【図１５】図１４の使用状態を説明する説明図である。
【図１６】従来の車輌用着衣を説明する説明図である。
【符号の説明】
Ａ　シートベルト
Ｄ　連結金具
１　車輌用着衣
２　着衣本体
３　前身頃
３ａ　左前身頃
３ｂ　右前身頃
５　後身頃
６　ファスナー
７　ベルト構造体
８　右ベルト構造体
９　左ベルト構造体
１０　背当て部材
１０ａ　切れ目
１０ｂ　切れ目
１１　袋状部（案内部）
１２　袋状部（案内部）
１３　右背面保護ベルト
１５　左背面保護ベルト
１６　右肩保護ベルト
１６ａ　一端
１６ｂ　他端
１７　中間部
１８　中間部
１９　左肩保護ベルト
１９ａ　一端
１９ｂ　他端
２０　右胸部調節保護ベルト（連結保護ベルト）
２０ａ　後部
２１　左胸部調節保護ベルト（連結保護ベルト）
２１ａ　後部
２２　切れ目
２３　雄留め具（第１の留め具）
２５　切れ目
２６　雌留め具（第２の留め具）
３０　弾性ベルト
３０ｂ　他端
３１　弾性ベルト
３１ｂ　他端
３２　右腰部保護ベルト
３２ａ　上部
３２ｂ　ループ部
３２ｃ　折曲部（中間部）
３３　左腰部保護ベルト
３３ａ　上部
３３ｂ　ループ部
３３ｃ　折曲部（中間部）
３５　切れ目
３６　切れ目
４０　弾性ベルト
４１　一端
４２　他端
４５　右股保護ベルト（連結保護ベルト）
４６　一端
４７　他端
４９　雄留め具（第３の留め具）
５０　左股保護ベルト（連結保護ベルト）
５１　一端
５２　他端
５３　雌留め具（第４の留め具）
５５　保護パッド
５６　保護パッド
６０　右脇保護ベルト
６１　ループ部
６２　一端
６３　他端
６４　近傍
６５　左脇保護ベルト
６６　ループ部
６７　一端
６８　他端
６９　近傍
７１　第１の調整ベルト
７１ａ　一端
７１ｂ　他端
７２　第２の調整ベルト
７２ａ　一端
７２ｂ　他端
７３　雄ホック
７５　雄ホック
７６　調整ベルト
７７　雄ホック
７８　雌ホック
８０　雄ホック
８１　雄ホック
８２　雌ホック
８３　雌ホック
８５　収納袋
８６　係止部材
【図１】
2004082806.tif 000003
【図２】
2004082806.tif 000004
【図３】
2004082806.tif 000005
【図４】
2004082806.tif 000006
【図５】
2004082806.tif 000007
【図６】
2004082806.tif 000008
【図７】
2004082806.tif 000009
【図８】
2004082806.tif 000010
【図９】
2004082806.tif 000011
【図１０】
2004082806.tif 000012
【図１１】
2004082806.tif 000013
【図１２】
2004082806.tif 000014
【図１３】
2004082806.tif 000015
【図１４】
2004082806.tif 000016
【図１５】
2004082806.tif 000017
【図１６】
2004082806.tif 000018